(57)【要約】【課題】風が吹いた時の容器の倒伏を良好に防止できる倒伏防止装置を提供する。【解決手段】容器の倒伏防止装置は、底部材２，２と、この底部材２，２の左右の端からそれぞれ立ち上がる左右の側面部材３Ａ，３Ｂを備えて、内部に容器を入れることができるように構成され、底部材２，２は、それぞれ中央部２ａが設置面に当接した状態で左右端側が設置面から浮き上がる形状に形成されて、この底部材２，２により倒伏防止装置１は左右方向に揺動可能に構成されている。【選択図】図１
0003157003.tif 000002
【実用新案登録請求の範囲】
【請求項１】
底部材と、該底部材の左右の端からそれぞれ立ち上がる左右の側面部材を備え、内部に容器を入れることのできる装置であって、
前記底部材は、中央部が設置面に当接した状態で左右端側が設置面から浮き上がる形状に形成され、
装置全体が左右に揺動可能である
ことを特徴とする容器の倒伏防止装置。
【請求項２】
前記底部材および側面部材がパイプ材で構成されていることを特徴とする請求項１に記載の容器の倒伏防止装置。
【請求項３】
前記左右の側面部材の下端から垂下状にストッパー突起が設けられ、
該ストッパー突起は、装置が左右側へ所定角度傾いた時に下端が設置面に当接する高さ寸法に設定されている
ことを特徴とする請求項１または請求項２に記載の容器の倒伏防止装置。
【請求項４】
前記左右の側面部材の下端には、上下方向へ回動可能な支持脚が設けられていることを特徴とする請求項１または請求項２または請求項３に記載の容器の倒伏防止装置。
【考案の詳細な説明】
【技術分野】
【０００１】
本考案は、プランター等の容器の倒伏を防止する装置に関するものである。
【背景技術】
【０００２】
従来、この種の容器の倒れ防止具として、例えば特許文献１に開示されているような構造のものがある。
即ち、特許文献１では、容器を置くための載置部と、載置部に置かれた容器の外周りを囲むための複数の囲み板部とが備えられ、囲み板部は載置部の周縁部に対して揺動可能に設けられたものとなっている。
【先行技術文献】
【特許文献】
【０００３】
【特許文献１】特開２００５−１９８８５５号公報
【考案の概要】
【考案が解決しようとする課題】
【０００４】
上記特許文献１に開示されている容器の倒れ防止具では、コップなどの容器を安定して置くことができるものであるが、風が吹いた時の倒れを良好に防止できるものではなかった。
【課題を解決するための手段】
【０００５】
本考案は、風が吹いても容器の倒伏を良好に防止できる容器の倒伏防止装置の提供を目的とし、この目的の少なくとも一部を達成するために以下の手段を採った。
本考案は、底部材と、該底部材の左右の端からそれぞれ立ち上がる左右の側面部材を備え、内部に容器を入れることのできる装置であって、前記底部材は、中央部が設置面に当接した状態で左右端側が設置面から浮き上がる形状に形成され、装置全体が左右に揺動可能であることを要旨とする。
【考案の効果】
【０００６】
倒伏防止装置の底部を構成する底部材は、中央部が設置面に当接した状態で左右端側が設置面から浮き上がる形状に形成されて、底部材の中央部を中心として左右方向に装置全体が揺動するため、風が吹いた際にも左右方向への揺動により良好に風力を逃がすことができ、良好に元の水平状態に戻って、風による倒伏が良好に防がれるものである。
【０００７】
また、本考案の容器の倒伏防止装置において、前記底部材および側面部材がパイプ材で構成されているものとすることもできる。
こうすれば、パイプ材を枠組みして安価でかつ強固な装置を構成することができ、土を入れた重いプランター等の容器を内部に良好に入れることができるものとなる。
【０００８】
また、本考案の容器の倒伏防止装置において、前記左右の側面部材の下端から垂下状にストッパー突起が設けられ、該ストッパー突起は、装置が左右側へ所定角度傾いた時に下端が設置面に当接する高さ寸法に設定されているものとすることもできる。
こうすれば、容器を収納した倒伏防止装置が左右の何れか側に風の力で傾いた時に、ストッパー突起が設置面に当接して装置を良好に支持することができ、左右側へのそれ以上の傾きを良好に防ぐことができ、倒伏防止装置を元の状態に復帰させる力が作用して、倒伏防止装置は元の水平な状態に戻ろうとする。そのため、良好に風の力に対応して装置の倒伏が防げるものとなる。
【０００９】
また、本考案の容器の倒伏防止装置において、前記左右の側面部材の下端には、上下方向へ回動可能な支持脚が設けられているものとすることもできる.
こうすれば、倒伏防止装置を設置面上に設置し、さらに支持脚を下方側へ回動させて、支持脚の下端を設置面に当接させ、支持脚を介し安定した状態に倒伏防止装置を設置でき、多少の傾斜地であっても安定して倒伏防止装置を設置することができる。
なお、風が吹いた場合には、風の力により支持脚は徐々に上方へ回動してゆくため、支持脚が支点となって倒伏防止装置全体が倒れるようなことはない。
【図面の簡単な説明】
【００１０】
【図１】容器の倒伏防止装置の斜視構成図である。
【図２】容器の倒伏防止装置を裏返した状態の斜視構成図である。
【図３】倒伏防止装置内に容器を入れて設置面上に配置した状態の側面構成図である。
【考案を実施するための形態】
【００１１】
次に、本考案を実施するための形態を実施例を用いて説明する。
図１は、倒伏防止装置の斜視構成図であり、図２は、倒伏防止装置を裏返した状態の斜視構成図である。また図３は、倒伏防止装置の設置状態の側面構成図である。
【００１２】
倒伏防止装置１は、パイプ材で枠組み構成されており、床部材２，２と、この床部材２，２の左右端からそれぞれ立ち上がる左側面部材３Ａと右側面部材３Ｂを備えている。
この底部材２，２上の左側面部材３Ａと右側面部材３Ｂ間に、図３のように、土１１を入れたプランター１０を入れて、プランター１０を倒伏防止装置１内に収納できるように構成されている。
【００１３】
底部材２，２は、本例では長手方向に間隔をおいて平行に配置された２本のパイプ材で構成されており、それぞれの底部材２は、図３のように、中央部の中央接地部２ａが下方側へ湾曲した略くの字状に形成されており、この各底部材２，２の中央接地部２ａが図３のように例えばベランダの設置面Ｆ上に当接状に載置された状態で、各床部材２，２の左右端側は設置面Ｆから浮き上がった状態となるように構成されている。
【００１４】
この２本の底部材２，２のそれぞれの左右端に立設される左側面部材３Ａおよび右側面部材３Ｂは、それぞれ側下パイプ４と、その上方に間隔をおいて平行状に設けられた側上パイプ５を備えており、側下パイプ４と側上パイプ５の長手方向両端側は起立パイプ６，６で連結されている。なお、左右の側下パイプ４，４に前記床部材２の左右端が連結固定されている。
【００１５】
左側面部材３Ａおよび右側面部材３Ｂの各側下パイプ４の長手方向中央部には、垂下状にストッパー突起７がそれぞれ１個ずつ垂設されており、この各ストッパー突起７は図３に示すように、倒伏防止装置１がベランダの設置面Ｆに置かれた状態で、設置面Ｆに下端が当接することなく浮き上がった状態となるような高さ寸法に設定されている。
【００１６】
また、各側下パイプ４の長手方向両端側の起立パイプ６，６の内側には、それぞれ上下方向に回動可能に支持脚８，８，８，８が連結されている。
この４本の支持脚８，８，８，８は、図３のように倒伏防止装置１を設置面Ｆに設置した状態で、それぞれ支持脚８の外端を下方側へ回動させて、各支持脚８の外端を設置面Ｆにほぼ当接させることができ、この４本の支持脚８，８，８，８により倒伏防止装置１の設置面Ｆ上での設置状態が略水平に保持されて、設置状態が安定したものとなる。
なお、設置面Ｆに多少の傾斜がある場合でも、支持脚８の外端を設置面Ｆに当接させることで設置状態が安定したものとなる。
【００１７】
なお、左側面部材３Ａおよび右側面部材３Ｂの各起立パイプ６，６，６，６には、例えば門形状に折り曲げた支柱９，９の下端を上方側から差し込んで用いることができ、例えばプランター１０内でトマトやキュウリやゴーヤ等の野菜を育成させる際に、この支柱９で野菜を良好に支持することができ、また、支柱９の外周にビニール等を被せて、温室効果で野菜を育成することができる。
【００１８】
このように、例えばマンションのベランダにおいてプランター１０内で野菜を育成することができ、通常では、倒伏防止装置１の底部材２の中央接地部２ａ，２ａと４本の支持脚８の外端がベランダの設置面Ｆに当接して、左右方向に揺れることなく安定して倒伏防止装置１は設置されるものである。
【００１９】
このような状態で風が吹くと、風力により中央接地部２ａを中心として倒伏防止装置１は左右方向に揺動することとなり、揺動により良好に風力を逃がすことができ、良好に元の水平状態に戻って、風による倒伏が良好に防がれるものである。
【００２０】
なお、風が吹いて左右何れか側へ倒伏防止装置１が繰り返し傾くことにより、支持脚８は徐々に上方へ回動してゆき、支持脚８の外端は設置面Ｆから風が吹くたびに離れてゆくこととなるため、この支持脚８が支点となって倒伏防止装置１が一気に倒伏するようなことはなく、強風によっても倒伏防止装置１は倒れることがない。
【００２１】
なお、倒伏防止装置１が左右の何れか側に所定角度傾いた時には、左右の何れか側のストッパー突起７の下端が設置面Ｆに当接して、それ以上の傾きを良好に防ぐことができ、良好に倒伏防止装置１を元の状態に復帰させる力が作用して、倒伏防止装置１は元の水平な状態に戻ろうとする。
【００２２】
なお、ストッパー突起７は側下パイプ４の長手方向の中央部に設ける他、側下パイプ４の長手方向の先端側にそれぞれ設けた構造としても良く、また、ストッパー突起７の数および支持脚８の数は、本例のものに限定されるものではない。
なお、倒伏防止装置１は、内部に収納するプランターの寸法に対応してサイズの異なるものが種々作成される。
【００２３】
なお、プランターに限らず、この倒伏防止装置１の内部に、丸型の植木鉢を複数入れて、植木鉢の倒伏を良好に防ぐことができ、また、植木鉢やプランターに限らず、その他の容器であっても、良好に倒伏防止装置１内に収納して、良好に風による倒伏を防止することができるものとなる。
【００２４】
なお、支持脚８，８，８は、安定した水平の設置面Ｆ上では、上方へ回動させて起立状態にしておいても良く、必要に応じて外端側を下方側へ回動させて設置面Ｆに当接させて用い、倒伏防止装置１の安定化を図ることができるものである。
【符号の説明】
【００２５】
１  倒伏防止装置
２  底部材
２ａ  中央接地部
３Ａ  左側面部材
３Ｂ  右側面部材
４  側下パイプ
５  側上パイプ
６  起立パイプ
７  ストッパー突起
８  支持脚
９  支柱
１０  プランター（容器）
Ｆ  設置面
【図１】
0003157003.tif 000003
【図２】
0003157003.tif 000004
【図３】
0003157003.tif 000005